(57)【要約】【課題】  本発明はフラッシュ本体のロッキングと関連した構造が簡単であり、且つ製造コストを節減することのできる撮像機器のフラッシュポップアップを提供する。【解決手段】  本発明に係る撮像機器のフラッシュポップアップ装置は、フラッシュ本体が撮像機器本体に収納される時、フラッシュ本体と撮像機器本体のうちいずれか一つに設けられた結合部材と、その結合部材に結合可能なロック突起を備え、フラッシュ本体と撮像機器本体のうち残りの一つに設けられるロッキングレバーと、フラッシュ本体をポップアップされる方向に加圧する弾性体と、フラッシュ本体の収納時ロッキングレバーを固定させフラッシュ本体のポップアップの開始時にロッキングレバーの固定を解除させる固定部材を含み、ロッキングレバーは、フラッシュ本体のポップアップ時、弾性体によってポップアップされようとするフラッシュ本体とロック突起の接触だけでもロック突起と結合部材の結合が解除される方向に加圧される。【選択図】      図３
2005258441.tif 000002
【特許請求の範囲】
【請求項１】
撮像機器のフラッシュポップアップ装置において、
照明光を発させるフラッシュ本体と、
該フラッシュ本体が撮像機器本体に収納される時、前記フラッシュ本体と前記撮像機器本体のうちいずれか一つに設けられた結合部材と結合されるロック突起を備え、該ロック突起と前記結合部材が結合される第１位置と前記ロック突起と前記結合部材の結合が解除される第２位置との間で回動自在に前記撮像機器本体と前記フラッシュ本体のうち残り一つに設けられるロッキングレバーと、
前記フラッシュ本体をポップアップされる方向に加圧する弾性体と、
前記フラッシュ本体の収納時前記ロッキングレバーを固定させ、前記フラッシュ本体のポップアップ開始時前記ロッキングレバーの固定を解除させる固定部材とを含み、
前記ロッキングレバーは、前記フラッシュ本体のポップアップ時に前記弾性体によってポップアップされようとする前記フラッシュ本体と接触される前記ロック突起によって前記第２位置側に加圧されることを特徴とする撮像機器のフラッシュポップアップ装置。
【請求項２】
前記ロック突起は、前記フラッシュ本体の収納の完了時に前記結合部材と係合されるように形成された結合溝を備え、
該結合溝は、前記フラッシュ本体のポップアップ移動時に前記フラッシュ本体の移動に連動して移動される前記結合部材との接触によって前記ロッキングレバーを前記第２位置側に加圧する第１傾斜面を備えることを特徴とする請求項１に記載の撮像機器のフラッシュポップアップ装置。
【請求項３】
前記結合部材は、前記結合溝に挿入される第３位置と前記結合溝から離隔される第４位置との間で弾力的に流動される固定ピンを含み、
前記ロック突起は、前記フラッシュ本体が収納される方向に移動する際に前記結合溝に挿入される前に前記固定ピンの弾性復元力が大きくなるよう前記固定ピンを前記第４位置に移動されるように接触ガイドする第２傾斜面をさらに含むことを特徴とする請求項１または２に記載の撮像機器のフラッシュポップアップ装置。
【請求項４】
前記ロッキングレバーは前記撮像機器本体に設けられ、その一側には復帰片が突設され、
前記復帰片は、ポップアップされる前記フラッシュ本体との接触により、前記ロッキングレバーを前記第１位置側に再び加圧することを特徴とする請求項１ないし３のうちいずれか一項に記載の撮像機器のフラッシュポップアップ装置。
【請求項５】
前記固定部材は前記ロッキングレバーの一側に連結され、前記ロッキングレバーが前記第１位置に位置する際に前記ロッキングレバーを固定させ、前記フラッシュ本体のポップアップ時に前記ロッキングレバーの固定を解除させるソレノイドを含むことを特徴とする請求項１ないし４のいずれか一項に記載の撮像機器のフラッシュポップアップ装置。
【請求項６】
前記フラッシュ本体が収納されたか否かを確認するよう前記撮像機器の本体に設けられる検出センサをさらに含み、
前記ソレノイドは前記検出センサの検出信号に対応して前記ロッキングレバーを選択的に固定させることを特徴とする請求項５に記載の撮像機器のフラッシュポップアップ装置。
【請求項７】
前記フラッシュ本体と前記ロッキングレバーを回動自在に支持するよう前記フラッシュ本体の収納位置に設けられるポップアップフレームをさらに含み、
前記ポップアップフレームはモールド物であることを特徴とする請求項１ないし６のいずれか一項に記載の撮像機器のフラッシュポップアップ装置。
【発明の詳細な説明】
【技術分野】
【０００１】
本発明は撮像機器に係り、さらに詳しくは被写体の撮像時被写体に向かって照明光を照射するフラッシュ本体をポップアップさせるポップアップ装置に関する。
【背景技術】
【０００２】
通常、カムコーダ、デジタルスチルカメラ、カメラのような撮像機器は被写体を撮像して静止画または動画を生成させる機器であって、被写体周辺の明るさに対応し所定光量の照明光を被写体に照射する光発生部を備えるフラッシュ本体を含む。このようなフラッシュ装置は撮像機器本体に着脱自在に設けられるが、携帯の簡便化のためポップアップ駆動可能に撮像機器に設けられる傾向である。前記ポップアップ駆動はフラッシュ本体が撮像機器本体に収納される収納位置と、撮像機器本体の外部に露出されるポップアップ位置に昇降回動される駆動を指し、このようなポップアップ駆動はフラッシュ本体を撮像機器本体にポップアップ駆動可能に連結するポップアップ装置により行なわれる。前述したようなポップアップ装置は多様な形態で構成されており、最近はポップアップ装置の小型化のためフラッシュ本体が回動される方向にポップアップ駆動させるポップアップ装置が開発されている傾向である。
【発明の開示】
【発明が解決しようとする課題】
【０００３】
ところが、前述した従来の技術はフラッシュ本体のポップアップのために選択的にフラッシュ本体をロッキングさせるために一対のロック部材がリンク連結されるように設けるべきであり、ロック部材の復元のために別の弾性体を使用しなければならないといった構造の複雑さによる問題を抱えている。
【０００４】
本発明は前述した従来の問題点を解決するために案出されたもので、その目的は撮像機器の製造工数及び部品数を節減させられるよう構造が改善された撮像機器のフラッシュポップアップ装置を提供するところにある。
【課題を解決するための手段】
【０００５】
前述した目的を達成するために本発明に係る撮像機器のフラッシュポップアップ装置は、フラッシュ本体が撮像機器本体に収納される際前記フラッシュ本体と前記撮像機器本体のうちいずれか一つに設けられた結合部材と結合されるロック突起を備え、前記ロック突起と前記フラッシュ本体が結合される第１位置と前記ロック突起と前記フラッシュ本体の結合が解除される第２位置との間で回動自在に前記撮像機器本体と前記フラッシュ本体のうち残り一つに設けられるロッキングレバーと、前記フラッシュ本体をポップアップされる方向に加圧する弾性体、及び前記フラッシュ本体の収納時前記ロッキングレバーを固定させ、前記フラッシュ本体のポップアップ開始時前記ロッキングレバーの固定を解除させる固定部材を含み、前記ロッキングレバーは、前記フラッシュ本体のポップアップ時、前記第１弾性体によってポップアップされようとする前記フラッシュ本体と前記ロック突起の接触によって前記第２位置側に加圧されることを特徴とする。
【０００６】
これによれば、ロッキングレバーを復元させるための別の弾性体と、ロッキングレバーの形成のための複数のリンク部材の設置を省ける。
【０００７】
本発明の好ましい実施形態によれば、前記ロック突起は前記フラッシュ本体の収納の完了時前記結合部材と係合されるよう形成された結合溝を備え、前記結合溝は前記フラッシュ本体のポップアップ移動時前記フラッシュ本体と移動に連動して移動される前記結合部材との接触によって前記ロッキングレバーを前記第２位置側に加圧する第１傾斜面を備える。
【０００８】
ここで、前記結合部は前記結合溝に挿入される第３位置と、前記結合溝から離隔される第４位置との間で弾力的に流動する固定ピンを含み、前記ロック突起は前記フラッシュ本体が収納される方向に移動する際前記固定ピンと接触され前記固定ピンが前記第４位置に移動されてから前記結合溝に挿入されるように案内する第２傾斜面をさらに含むことが好ましい。
【０００９】
そして、前記ロッキングレバーは前記撮像機器本体に設けられ、その一側には復帰片が突設され、前記復帰片は前記ロック突起と前記フラッシュ本体の結合が解除された状態でポップアップされる前記フラッシュ本体との接触によって前記ロッキングレバーを前記第１位置側に加圧することが好ましい。
【００１０】
一方、前記固定部材は前記ロッキングレバーの一側に連結され前記ロッキングレバーが前記第１位置に置かれる時前記ロッキングレバーを固定させ、前記フラッシュ本体のポップアップ時前記ロッキングレバーの固定を解除させるソレノイドを含むことが好ましい。
【００１１】
そして、前記フラッシュ本体が収納されたか否かを確認するように前記撮像機器本体に設けられる検出センサをさらに含み、前記ソレノイドは前記検出センサの検出信号に対応して前記ロッキングレバーを選択的に固定させることが好ましい。
【００１２】
一方、前記フラッシュ本体と前記ロッキングレバーを回動自在に支持するように前記フラッシュ本体の収納位置に設けられるポップアップフレームをさらに含み、前記ポップアップフレームはモールド物であることがさらに好ましい。
【発明の効果】
【００１３】
本発明によれば、単位個のロッキングレバーだけでフラッシュ本体のポップアップ駆動を拘束することができ、ロッキングレバーの復元のために別の弾性体のような構成品の設置を排除できることから、簡単な構造の撮像機器が提供できる。これにより、スリムになり、且つ製造コストの節減された撮像機器の提供が可能になる。
【発明を実施するための最良の形態】
【００１４】
以下、本発明の好ましい実施形態を添付した図面に基づき詳述する。
【００１５】
図１は本発明の好ましい実施形態によるフラッシュポップアップ装置を備える撮像機器の一例を示した図であり、図２及び図３は本実施形態によるフラッシュポップアップ装置を示した図である。
【００１６】
本実施形態によるフラッシュポップアップ装置は、フラッシュ本体２１０と、ポップアップフレーム２３０と、ロッキングレバー２４０と、固定部材２６０と、弾性体２５０とを含む。
【００１７】
フラッシュ本体２１０は、照明光を生成させる光発生部２２０を含み、光発生部２２０のレンズ側を包む前方カバー２１１と、光発生部２２０の後方を包む後方カバー２１８を含む。そして、フラッシュ本体２１０は後述するポップアップフレーム２３０にヒンジ結合され撮像機器本体１００に回動自在に連結されるが、本実施形態では前方カバー２１１の一側に突設された一対のヒンジ突起２１５が後述するポップアップフレーム２３０にヒンジ結合される。一対のヒンジ突起２１５のうち少なくとも一側には復帰突起２１６がさらに突設されることが望ましく、これについては後述するのでここで詳細な説明は省く。一方、フラッシュ本体２１０の前方カバーには一定長さを有する貫通孔２１２が貫通形成され、その貫通孔２１２の内側には後述するロック突起２４５と係合される結合部材として固定ピン２１４が設けられる。本実施形態における固定ピン２１４は弾性体で形成され、ロック突起２４５と結合される位置(Ｐ３:図５参照)とロック突起２４５から分離される位置(Ｐ４:図５参照)との間で弾力的な流動が可能である。
【００１８】
ポップアップフレーム２３０は撮像機器本体１００に固定され、上面に突設された一対のヒンジ突起２３１を含む。ヒンジ突起２３１はフラッシュ本体２１０のヒンジ突起２１５とヒンジシャフト２３３によって回動自在に結合される。参考に、本実施形態におけるポップアップフレーム２３０はモールド、さらに詳しくはアルミニウム合金のような金属材のダイキャスティングによって形成される。これによれば、ポップアップフレーム２３０の上面のいずれの箇所でも製造者が希望する位置にヒンジ突起２３１を突出されるよう形成させられる。すなわち、板形金属材の板金作業によって形成される従来のポップアップフレームではヒンジ突起がポップアップフレームの縁部にだけ形成されるべき設計制約が発生するが、本実施形態におけるポップアップフレームによれば、このような設計制約の克服が可能である。かつ、本実施形態のポップアップフレームによれば、ポップアップフレームの強度低下を抑えられる付加的な効果も奏でる。ここで、未説明符号２３５はフラッシュ本体２１０のポップアップ時フラッシュ本体２１０の復帰突起２１６が回避できるように形成された退避溝であって、このような退避溝もダイキャスティングによってポップアップフレームが形成されるため、ポップアップフレーム２３０上に容易に形成されうるようになる。一方、ヒンジシャフト２３３にはフラッシュ本体２１０をポップアップ位置に弾性加圧するコイル状の弾性体２５０が設けられる。
【００１９】
ロッキングレバー２４０は、フラッシュ本体２１０の収納時フラッシュ本体２１０の前方カバー２１１と対向する一側端に突設されるロック突起２４５を含み、ポップアップフレーム２３０の上面にヒンジピン２４２によって回動自在に連結される。このようなロッキングレバー２４０の回動はロック突起２４５と固定ピン２１４が相互結合できる第１位置(Ｐ１:図５参照)と、ロック突起２４５と固定ピン２１４との結合が解除される第２位置(Ｐ２:図５参照)との間で行われる。
【００２０】
ここで、ロック突起２４５は、図４に示したように、フラッシュ本体２１０のポップアップ駆動時固定ピン２１４が接触される接触面２４６が一側に形成される。前記接触面は、フラッシュ本体２１０の収納が完了された状態で固定ピン２１４が挿入される結合溝２４７と、その結合溝２４７の上部に傾斜して形成された第２傾斜面２４９を含む。結合溝２４７の上端面は傾斜して形成され第１傾斜面２４８を形成させる。ここで、第１傾斜面２４８の傾斜角と固定ピン２１４の弾性力はロック突起２４５と固定ピン２１４が結合された状態で弾性体２５０の弾性力により固定ピン２１４が流動されロック突起２４５と固定ピン２１４が分離されない範囲に設定されるべきであることは勿論である。このような第１及び第２傾斜面２４８、２４９の詳しい構成及び作用は後述する。
【００２１】
固定部材２６０は、ロッキングレバー２４０を一定位置で選択的に固定させるためのものであって、ユーザの手動操作によってロッキングレバー２４０の回動を拘束する手動式、ユーザの操作によって発生される電気信号に応じてロッキングレバー２４０の回動を拘束する自動式にその構成が可能である。本実施形態では自動式固定部材２６０が使用されたことを例示しており、ロッキングレバー２４０の下面に突設された連結ピン２４３と連結され連結ピン２４３の移動を選択的に拘束するソレノイド２６０が前記固定部材として使用される。参考に、未説明符号２７０はフラッシュ本体２１０を収納したか否かを確認する検出センサであって、このような検出センサ２７０の検出信号によってソレノイド２６０の駆動が制御される。
【００２２】
以下、前述したように構成される本発明に係る撮像機器のフラッシュポップアップ装置の動作を添付した図面に基づき詳述する。
【００２３】
図５はフラッシュ本体２１０が収納された後ロック突起２４５と固定ピン２１４が相互結合された状態を示した図である。この状態でソレノイド２６０は磁化され連結ピン２４３を固定させており、これによりロッキングレバー２４０は第１位置９１で固定された状態を維持している。
【００２４】
この状態でソレノイド２６０の磁化が解除されれば、ロッキングレバー２４０が自由に回動できるようになり、フラッシュ本体２１０を上昇させる弾性体２５０の弾性力によって固定ピン２１４が上昇する。これにより、ロック突起２４５は矢印ａ方向に移動される。前述したような固定ピン２１４によるロック突起２４５の移動は、ロック突起２４５の結合溝２４７の上端面に形成された第１傾斜面２４８(図４参照)に沿って連結ピン２４３が上昇することによる。
【００２５】
前述したように、ロック突起２４５と固定ピン２１４の結合が解除された後、フラッシュ本体２１０は弾性体２５０の弾性力によってポップアップ位置まで完全に上昇する。この際、フラッシュ本体２１０のヒンジ突起２１５に突設された復帰突起２１６がロッキングレバー２４０の復帰片２４１と接触されてロッキングレバー２４０は原位置(Ｐ１)に回動される。このような構成によれば、ロッキングレバー２４０を復帰させるための別の弾性体のような構成品の設置省略が可能なので、ロッキングレバー２４０の構成がさらに簡単になる。
【００２６】
一方、前述したようにフラッシュ本体２１０がポップアップされた状態でユーザによってフラッシュ本体２１０が収納される方向に移動すれば、検出センサ２７０によってフラッシュ本体２１０が収納される方向に移動することが検出され、これによりソレノイド２６０が磁化してロッキングレバー２４０が固定される。この状態でフラッシュ本体２１０が下降し続けるようになると、ロック突起２４５が貫通孔２１２を経由して固定ピン２１４と接触するようになる。この際、固定ピン２１４はロック突起２４５の接触面２４６のうち第２傾斜面２４９(図４参照)に沿って下降するようになり、よって固定ピン２１４は矢印ｂ方向に沿って第４位置(Ｐ４)まで弾力的に流動される。フラッシュ本体２１０が下降し続けて固定ピン２１４が結合溝２４７と対向すれば、固定ピン２１４の弾性復元力によって固定ピン２１４が結合溝２４７に挿入され第３位置(Ｐ３)に復帰されることによって、固定ピン２１４とロック突起２４５が相互結合される。これにより、フラッシュ本体２１０は収納された状態で撮像機器本体１００に固定されることによってフラッシュ本体２１０の収納動作が完了される。
【００２７】
以上本発明を説明するにあたって、ロッキングレバーとソレノイドが撮像機器本体に設けられ、固定ピンがフラッシュ本体に設けられることに限定して説明したが、本発明はこれに限らず、前述したようにフラッシュ本体のポップアップ時弾性体の弾性力によってロッキングレバーが回動され固定ピンとロック突起の結合が解除され、フラッシュ本体の収納時固定ピンの弾力的な流動によって固定ピンとロック突起が相互結合されるよう構成されると、その設置位置は互いに変っても構わないことは勿論である。
【００２８】
そして、本実施形態ではロッキングレバーの回動を拘束する方法としてソレノイドを用いることに限定して説明したが、必ずしもこれに限らず、電気的またはユーザの手動操作によってロッキングレバーの回動を拘束できれば、本実施形態に開示された形態以外に別の固定方法を使用しても本発明に属することは勿論である。
【００２９】
また、ロック突起と結合される結合部材として弾性体で形成された固定ピンが使用された点だけを限定して説明したが、これも固定ピンの代りにロック突起の接触によって流動自在に設けられる他の形態の部材を使用しても、本発明に属することは勿論である。
【００３０】
以上、本発明を本発明の原理を例示するための好ましい実施形態について示しかつ説明したが、本発明はそのように示しかつ説明されたままの構成及び作用に限られない。かえって請求の範囲の思想及び範疇を逸脱せず本発明に対する多様な変更及び修正が可能なことを当業者等はよく理解できろう。従って、そのような全ての適切な変更と修正及び均等物も本発明の権利範囲に属することと見なされる。
【産業上の利用可能性】
【００３１】
本発明は被写体の撮像時被写体に向かって照明光を照射するフラッシュ本体がポップアップ可能に設けられるデジタルカメラ、手動カメラ、カムコーダなどのような撮像機器に適用可能である。これによれば、従来よりスリム化し、製造コストを節減できるようにその構造が簡単な撮像機器に適用される。
【図面の簡単な説明】
【００３２】
【図１】本発明の実施形態に係るフラッシュポップアップ装置を備える撮像機器の一例を示した斜視図である。
【図２】本発明の実施形態に係るフラッシュポップアップ装置を示した斜視図である。
【図３】図２のフラッシュポップアップ装置を示した分離斜視図である。
【図４】図２のロック突起を抜粋して示した側面図である。
【図５】図２のフラッシュポップアップ装置の作動状態を示した平面図である。
【符号の説明】
【００３３】
１００  撮像機器本体
２００  フラッシュポップアップ装置
２１０  フラッシュ本体
２１２  貫通孔
２１６  復帰突起
２３０  ポップアップフレーム
２４０  ロッキングレバー
２４１  復帰片
２４３  連結ピン
２４５  ロック突起
２４７  結合溝
２４８  第１傾斜面
２４９  第２傾斜面
２５０  弾性体
２６０  ソレノイド
２７０  検出センサ
【図１】
2005258441.tif 000003
【図２】
2005258441.tif 000004
【図３】
2005258441.tif 000005
【図４】
2005258441.tif 000006
【図５】
2005258441.tif 000007